【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出する算出手段と、
前記算出手段により算出された前記領域の特徴量に基づいて、当該注目画素がかぶせ処理を行うべき画素であるか否かを判定する判定手段と、注目画素の画素値を変更する際に参照すべき画素の位置を色版の網点処理の属性に基づいて、決定する決定手段と、
前記判定手段により当該注目画素がかぶせ処理を行うべき画素であると判定された場合、かぶせ処理において画素値を変更する印刷色の色版の画像データの注目画素の画素値を、前記決定手段により決定された位置の画素の画素値に変更する変更手段と、
を有する画像処理装置。
【請求項２】
前記決定手段は、網点処理におけるスクリーン角度およびスクリーン線数に基づいて、注目画素の画素値を変更する際に参照すべき画素の位置を決定する請求項１記載の画像処理装置。
【請求項３】
網点処理がされた後の印刷色毎の複数の色版により構成された２値画像データにおいて、各画素を注目画素として順次選択し、選択された該注目画素周辺の予め設定された領域内の画素の状態に基づいて、前記領域の特徴量を算出する算出手段と、
前記算出手段により算出された前記領域の特徴量に基づいて、当該注目画素がかぶせ処理を行うべき画素であるか否かを判定する判定手段と、
前記判定手段により当該注目画素がかぶせ処理を行うべき画素であると判定された場合、かぶせ処理において画素値を変更する印刷色の色版の画像データの注目画素の画素値を、色版の網点処理の属性に基づいて予め設定された位置の画素の画素値に変更する変更手段と、
を有する画像処理装置。
【請求項４】
前記算出手段は、かぶせ処理において画素値を変更しない印刷色の色版の画像データの前記領域内における画素のオンとオフの間の変化点の数および前記領域内における画素が全てオンであるかまたはオフであるか否かを特徴量として算出し、
前記判定手段は、かぶせ処理において画素値を変更しない印刷色の色版の画像データの注目画素の画素値がオンであり、前記算出手段により算出された特徴量に基づいて前記領域に画像の境界部分が含まれていると判定した場合、当該注目画素がかぶせ処理を行うべき画素であると判定する請求項１から３のいずれか１項記載の画像処理装置。
【請求項５】
網点処理がされた後の印刷色毎色版により構成された２値画像データにおいて、各画素を注目画素として順次選択し、選択された該注目画素周辺の予め設定された領域内の画素の状態に基づいて、前記領域の特徴量を算出する算出手段と、
前記算出手段により算出された前記領域の特徴量に基づいて、当該注目画素がかぶせ処理を行うべき画素であるか否かを判定する判定手段と、
色版の網点処理の属性に基づいて、注目画素の画素値を変更する際に参照すべき画素の位置を決定する決定手段と、
前記判定手段により当該注目画素がかぶせ処理を行うべき画素であると判定された場合、かぶせ処理において画素値を変更する印刷色の色版の画像データの注目画素の画素値を、前記決定手段により決定された位置の画素の画素値に変更する変更手段と、
前記変更手段により注目画素の画素値を変更する処理が行われた後の画像データに基づいて画像を出力する画像出力手段と、
を備えた画像形成装置。
【請求項６】
網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出する算出手段と、
前記算出手段により算出された前記領域の特徴量に基づいて、当該注目画素がかぶせ処理を行うべき画素であるか否かを判定する判定手段と、
前記判定手段により当該注目画素がかぶせ処理を行うべき画素であると判定された場合、かぶせ処理において画素値を変更する印刷色の色版の画像データの注目画素の画素値を、色版の網点処理の属性に基づいて予め設定された位置の画素の画素値に変更する変更手段と、
前記変更手段により注目画素の画素値を変更する処理が行われた後の画像データに基づいて画像を出力する画像出力手段と、
を備えた画像形成装置。
【請求項７】
網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出するステップと、
算出された前記領域の特徴量に基づいて、当該注目画素がかぶせ処理を行うべき画素であるか否かを判定するステップと、
色版の網点処理の属性に基づいて、注目画素の画素値を変更する際に参照すべき画素の位置を決定するステップと、
当該注目画素がかぶせ処理を行うべき画素であると判定された場合、かぶせ処理において画素値を変更する印刷色の色版の画像データの注目画素の画素値を、注目画素の画素値を変更する際に参照すべきと決定された位置の画素の画素値に変更するステップとをコンピュータに実行させるためのプログラム。
【請求項８】
網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出するステップと、
算出された前記領域の特徴量に基づいて、当該注目画素がかぶせ処理を行うべき画素であるか否かを判定するステップと、
当該注目画素がかぶせ処理を行うべき画素であると判定された場合、かぶせ処理において画素値を変更する印刷色の色版の画像データの注目画素の画素値を、色版の網点処理の属性に基づいて予め設定された位置の画素の画素値に変更するステップとをコンピュータに実行させるためのプログラム。
【手続補正２】
【補正対象書類名】明細書
【補正対象項目名】０００６
【補正方法】変更
【補正の内容】
【０００６】
請求項１に係る発明は、網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出する算出手段と、前記算出手段により算出された前記領域の特徴量に基づいて、当該注目画素がかぶせ処理を行うべき画素であるか否かを判定する判定手段と、注目画素の画素値を変更する際に参照すべき画素の位置を色版の網点処理の属性に基づいて、決定する決定手段と、前記判定手段により当該注目画素がかぶせ処理を行うべき画素であると判定された場合、かぶせ処理において画素値を変更する印刷色の色版の画像データの注目画素の画素値を、前記決定手段により決定された位置の画素の画素値に変更する変更手段と、有する画像処理装置である。
【手続補正３】
【補正対象書類名】明細書
【補正対象項目名】０００７
【補正方法】変更
【補正の内容】
【０００７】
請求項２に係る発明は、前記決定手段は、網点処理におけるスクリーン角度およびスクリーン線数に基づいて、注目画素の画素値を変更する際に参照すべき画素の位置を決定する請求項１記載の画像処理装置である。
【手続補正４】
【補正対象書類名】明細書
【補正対象項目名】０００８
【補正方法】変更
【補正の内容】
【０００８】
請求項３に係る発明は、網点処理がされた後の印刷色毎の複数の色版により構成された２値画像データにおいて、各画素を注目画素として順次選択し、選択された該注目画素周辺の予め設定された領域内の画素の状態に基づいて、前記領域の特徴量を算出する算出手段と、前記算出手段により算出された前記領域の特徴量に基づいて、当該注目画素がかぶせ処理を行うべき画素であるか否かを判定する判定手段と、前記判定手段により当該注目画素がかぶせ処理を行うべき画素であると判定された場合、かぶせ処理において画素値を変更する印刷色の色版の画像データの注目画素の画素値を、色版の網点処理の属性に基づいて予め設定された位置の画素の画素値に変更する変更手段と、を有する画像処理装置である。
【手続補正５】
【補正対象書類名】明細書
【補正対象項目名】０００９
【補正方法】変更
【補正の内容】
【０００９】
請求項４に係る発明は、前記算出手段は、かぶせ処理において画素値を変更しない印刷色の色版の画像データの前記領域内における画素のオンとオフの間の変化点の数および前記領域内における画素が全てオンであるかまたはオフであるか否かを特徴量として算出し、
前記判定手段は、かぶせ処理において画素値を変更しない印刷色の色版の画像データの注目画素の画素値がオンであり、前記算出手段により算出された特徴量に基づいて前記領域に画像の境界部分が含まれていると判定した場合、当該注目画素がかぶせ処理を行うべき画素であると判定する請求項１から３のいずれか１項記載の画像処理装置である。
【手続補正６】
【補正対象書類名】明細書
【補正対象項目名】００１０
【補正方法】変更
【補正の内容】
【００１０】
請求項５に係る発明は、網点処理がされた後の印刷色毎色版により構成された２値画像データにおいて、各画素を注目画素として順次選択し、選択された該注目画素周辺の予め設定された領域内の画素の状態に基づいて、前記領域の特徴量を算出する算出手段と、前記算出手段により算出された前記領域の特徴量に基づいて、当該注目画素がかぶせ処理を行うべき画素であるか否かを判定する判定手段と、色版の網点処理の属性に基づいて、注目画素の画素値を変更する際に参照すべき画素の位置を決定する決定手段と、前記判定手段により当該注目画素がかぶせ処理を行うべき画素であると判定された場合、かぶせ処理において画素値を変更する印刷色の色版の画像データの注目画素の画素値を、前記決定手段により決定された位置の画素の画素値に変更する変更手段と、前記変更手段により注目画素の画素値を変更する処理が行われた後の画像データに基づいて画像を出力する画像出力手段と、
を備えた画像形成装置である。
【手続補正７】
【補正対象書類名】明細書
【補正対象項目名】００１１
【補正方法】変更
【補正の内容】
【００１１】
請求項６に係る発明は、網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出する算出手段と、前記算出手段により算出された前記領域の特徴量に基づいて、当該注目画素がかぶせ処理を行うべき画素であるか否かを判定する判定手段と、前記判定手段により当該注目画素がかぶせ処理を行うべき画素であると判定された場合、かぶせ処理において画素値を変更する印刷色の色版の画像データの注目画素の画素値を、色版の網点処理の属性に基づいて予め設定された位置の画素の画素値に変更する変更手段と、前記変更手段により注目画素の画素値を変更する処理が行われた後の画像データに基づいて画像を出力する画像出力手段と、を備えた画像形成装置である。
【手続補正８】
【補正対象書類名】明細書
【補正対象項目名】００１２
【補正方法】変更
【補正の内容】
【００１２】
請求項７に係る発明は、網点処理がされた後の印刷色毎の色版により構成された２値画像データにおいて、各画素を注目画素として順次選択し、選択された該注目画素周辺の予め設定された領域内の画素の状態に基づいて、前記領域の特徴量を算出するステップと、算出された前記各領域毎の特徴量に基づいて、当該注目画素がかぶせ処理を行うべき画素であるか否かを判定するステップと、色版の網点処理の属性に基づいて、注目画素の画素値を変更する際に参照すべき画素の位置を決定するステップと、当該注目画素がかぶせ処理を行うべき画素であると判定された場合、かぶせ処理において画素値を変更する印刷色の色版の画像データの注目画素の画素値を、注目画素の画素値を変更する際に参照すべきと決定された位置の画素の画素値に変更するステップとをコンピュータに実行させるためのプログラムである。
【手続補正９】
【補正対象書類名】明細書
【補正対象項目名】００１３
【補正方法】変更
【補正の内容】
【００１３】
請求項８に係る発明は、網点処理がされた後の印刷色毎の複数の色版により構成された２値画像データにおいて、各画素を注目画素として順次選択し、選択された該注目画素周辺の予め設定された複数の領域内の画素の状態に基づいて、前記各領域の特徴量をそれぞれ算出するステップと、
算出された前記各領域毎の特徴量に基づいて、当該注目画素がかぶせ処理を行うべき画素であるか否かを判定するステップと、
当該注目画素がかぶせ処理を行うべき画素であると判定された場合、かぶせ処理において画素値を変更する印刷色の色版の画像データの注目画素の画素値を、各色版毎の網点処理の属性に基づいて予め設定された位置の画素の画素値に変更するステップとをコンピュータに実行させるためのプログラムである。